(57)【要約】      （修正有）【課題】消費者が心を躍らせるようにすることで来店を促進しつつ、消費者の購買意欲が強いタイミングで消費者が関心のある商品に関するクーポンを提供することである。【解決手段】位置連動クーポン配信システム１０は、ユーザー２の消費者属性を入力するための入力部１４と、店舗４で販売される商品を提供するメーカー６が商品に関するクーポン情報を登録するためのクーポン登録部１６と、ユーザー２が店舗４に来店したか否かを判断するための来店判断部１８と、ユーザー２の消費者属性に基づいて、店舗４内で販売される商品のうちユーザー２にとって関心があると推測される商品の中からクーポンの配信候補の商品を複数選択する商品選択部２０と、ユーザー２が店舗４に来店したタイミングで選択された複数の商品の中からランダムに選んだ商品に関するクーポンを携帯端末に配信する配信部２２と、を備える。【選択図】図１
2019102053.tif 000002
【特許請求の範囲】
【請求項１】
ユーザーが該ユーザーの個人を特定できない情報の範囲内で前記ユーザーの消費者属性を入力するための入力部と、
店舗で販売される商品を提供する商品メーカーが前記商品に関するクーポン情報を登録するためのクーポン登録部と、
携帯端末を用いた前記ユーザーの位置情報に基づき、前記店舗に来店したか否かを判断するための来店判断部と、
前記ユーザーの消費者属性に基づいて、前記店舗内で販売される前記商品のうち前記ユーザーにとって関心があると推測される前記商品の中からクーポンの配信候補の前記商品を複数選択する商品選択部と、
前記ユーザーが前記店舗に来店したタイミングで前記選択された複数の前記商品の中からランダムに選んだ前記商品に関する前記クーポンを前記携帯端末に配信する配信部と、
を備えることを特徴とする位置連動クーポン配信システム。
【請求項２】
請求項１に記載の位置連動クーポン配信システムにおいて、
前記クーポン登録部は、前記クーポン情報とともに前記商品メーカーにより入力された前記クーポンの配信対象者のターゲット情報を登録し、
前記商品選択部は、前記ターゲット情報に基づいて前記選択する確率を変更することを特徴とする位置連動クーポン配信システム。
【請求項３】
請求項１または請求項２に記載の位置連動クーポン配信システムにおいて、
前記商品選択部は、前記配信部によって配信された前記クーポンの利用履歴に基づいて、前記選択する条件を変更することを特徴とする位置連動クーポン配信システム。
【請求項４】
請求項１から請求項３のいずれか１項に記載の位置連動クーポン配信システムにおいて、
前記配信部によって配信された前記クーポンを用いて前記商品を購入する際に前記クーポンに対応する割引額を前記店舗側が負担した負担金を記録し、前記負担金を補填させるように前記商品を提供する前記商品メーカーに通知するための通知部を備えることを特徴とする位置連動クーポン配信システム。
【発明の詳細な説明】
【技術分野】
【０００１】
本発明は、位置連動クーポン配信システムに関する。
【背景技術】
【０００２】
従来、消費者の購買意欲を高めるために様々な広告手法が考えられている。本発明に関連する技術として、例えば、特許文献１には、携帯電話の位置情報を利用し、特定エリアに位置する特定の要件を満たす情報提供者に情報提供を依頼し、情報提供者はＧＰＳ機能付きの携帯電話より位置情報を付与した情報を送信することを特徴とする位置情報を利用し特定エリアの情報を提供するシステムが開示されている。
【０００３】
また、特許文献２には、利用者の将来の目的地を通知するナビゲーションシステムであって、予め、利用者の年齢、性別又は嗜好等の利用者情報と関連付けて、利用者が行動する際の日時、期間、費用、人数、交通手段、評価情報又は目的等に応じた目的地の情報を記憶する記憶手段と、利用者自身の年齢、性別又は嗜好等のプロフィールを利用者が入力する入力手段と、記憶手段に記憶されている目的地の情報の中から、入力されたプロフィールに関連する目的地又は行動順序等の行動情報を所定のアルゴリズムに基づいて選出する処理手段と、選出した行動情報を利用者に通知する通知手段と、を備えたことを特徴とするナビゲーションシステムが開示されている。
【先行技術文献】
【特許文献】
【０００４】
【特許文献１】特開２００４−６４２６４号公報
【特許文献２】特開２００２−２０７８４１号公報
【発明の概要】
【発明が解決しようとする課題】
【０００５】
購買意欲の高い消費者に対して広告を提供することは売上の向上などに繋がることがあるが、関心のない商品に対して広告を行うと煩わしい気持ちにさせる虞がある。インターネット上では、ユーザーの過去の購買履歴などに応じて興味があると想定される商品に関する広告を提供する手段も考えられているが、仮に興味がある商品であるとしても、購入したいというタイミングでなければ、消費者に煩わしい広告と感じられてしまう虞がある。
【０００６】
また、近年、物や情報がすぐに手に入る時代であるため、単なる購入などではなく、体験などの付加価値が重要であり、「モノ消費」から「コト消費」への時代へと移り変わりつつある。
【０００７】
本発明の目的は、消費者が心を躍らせるようにすることで来店を促進しつつ、消費者の購買意欲が強いタイミングで消費者が関心のある商品に関するクーポンを提供することである。
【課題を解決するための手段】
【０００８】
本発明に係る位置連動クーポン配信システムは、ユーザーが該ユーザーの個人を特定できない情報の範囲内で前記ユーザーの消費者属性を入力するための入力部と、店舗で販売される商品を提供する商品メーカーが前記商品に関するクーポン情報を登録するためのクーポン登録部と、携帯端末を用いた前記ユーザーの位置情報に基づき、前記店舗に来店したか否かを判断するための来店判断部と、前記ユーザーの消費者属性に基づいて、前記店舗内で販売される前記商品のうち前記ユーザーにとって関心があると推測される前記商品の中からクーポンの配信候補の前記商品を複数選択する商品選択部と、前記ユーザーが前記店舗に来店したタイミングで前記選択された複数の前記商品の中からランダムに選んだ前記商品に関する前記クーポンを前記携帯端末に配信する配信部と、を備えることを特徴とする。
【０００９】
また、本発明に係る位置連動クーポン配信システムにおいて、前記クーポン登録部は、前記クーポン情報とともに前記商品メーカーにより入力された前記クーポンの配信対象者のターゲット情報を登録し、前記商品選択部は、前記ターゲット情報に基づいて前記選択する確率を変更することが好ましい。
【００１０】
また、本発明に係る位置連動クーポン配信システムにおいて、前記商品選択部は、前記配信部によって配信された前記クーポンの利用履歴に基づいて、前記選択する条件を変更することが好ましい。
【００１１】
また、本発明に係る位置連動クーポン配信システムにおいて、前記配信部によって配信された前記クーポンを用いて前記商品を購入する際に前記クーポンに対応する割引額を前記店舗側が負担した負担金を記録し、前記負担金を補填させるように前記商品を提供する前記商品メーカーに通知するための通知部を備えることが好ましい。
【発明の効果】
【００１２】
本発明によれば、ユーザーが店舗に来店したタイミングで、ユーザーの興味がある商品のクーポンを複数選択し、その中から選定されたクーポンが不確実な確率で配信される。
【００１３】
これにより、ユーザーが自分の関心のある商品についてのお得なクーポンに関し、どの商品が出るか分からないといったワクワク感を楽しみに携帯端末に配信されるクーポンを確認するという習慣が身につく。したがって、ワクワク感を求めて来店が促進され、購買意欲の高いタイミングで興味がある商品のクーポンが届くため、商品の購入に繋がるという効果がある。
【図面の簡単な説明】
【００１４】
【図１】本発明に係る実施形態の位置情報の位置連動クーポン配信システムを含むビジネスモデル全体を示す概念図である。
【図２】本発明に係る実施形態の位置連動クーポン配信システムにおいて、メーカーが商品のクーポンを配信するターゲットを絞り込んでいる様子を示す図である。
【図３】本発明に係る実施形態の位置連動クーポン配信システムにおいて、店舗で配信されたクーポンを使用している様子を示す図である。
【図４】本発明に係る実施形態の位置連動クーポン配信システムにおいて、店舗で配信されたクーポンを使用している様子を示す図である。
【発明を実施するための形態】
【００１５】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１６】
図１は、位置連動クーポン配信システム１０を含むビジネスモデル全体を示す概念図である。図２は、位置連動クーポン配信システム１０において、メーカー６が商品のクーポンを配信するターゲットを絞り込んでいる様子を示す図である。
【００１７】
図３は、位置連動クーポン配信システム１０において、店舗４で配信されたクーポンを使用している様子を示す図である。図４は、位置連動クーポン配信システム１０において、クーポンを利用した場合の店舗４が立て替えた負担金を補填する流れを示す図である。
【００１８】
位置連動クーポン配信システム１０は、ユーザー２の店舗４への来店を促進しつつ、適切なタイミングで、ユーザー２が関心のある商品のクーポンを配信するシステムである。
【００１９】
位置連動クーポン配信システム１０は、制御部１２を備えたシステムである。位置連動クーポン配信システム１０には、当該システムに加盟する店舗４と、店舗４に商品を提供するメーカー６と、当該システムを利用しつつ店舗４で商品を購入するユーザー２が利用するためのシステムである。
【００２０】
制御部１２は、位置情報取得処理部１１と、入力部１４と、クーポン登録部１６と、来店判断部１８と、商品選択部２０と、配信部２２と、通知部２４と、記憶部２６とを備えている。
【００２１】
位置連動クーポン配信システム１０において、記憶部２６以外の各機能は、ハードウェア構成、ソフトウェア構成の何れによっても実現することが可能である。例えば、ソフトウェアによって実現する場合、これらの機能は、実際にはＣＰＵあるいはＭＰＵ、ＲＡＭ、ＲＯＭなどを備えて構成されたサーバー装置上において、ＲＡＭやＲＯＭ、ハードディスク等の記録媒体に記憶された位置連動クーポン配信プログラム（アプリケーションソフトウェア）が動作することによって実現することができる。
【００２２】
店舗４は、位置連動クーポン配信システム１０のシステムを利用する加盟契約を行った加盟店であり、例えば、スーパーマーケットなどの小売業の実店舗である。店舗４の入り口には、ユーザー２の携帯端末３から送信されるブルートゥース（登録商標）信号を受信することで位置情報を取得するビーコンが設置されている。
【００２３】
位置情報取得処理部１１は、ブルートゥース信号を送信する携帯端末３の位置情報を取得したビーコンから伝送される情報に基づいて、ユーザー２の位置情報を把握することが出来る。また、位置情報取得処理部１１は、衛星の電波を受信する受信部を有する携帯端末３を用いたユーザー２の位置情報を取得することもできる。
【００２４】
携帯端末３は、ブルートゥース信号を送信可能な機能を有するスマートフォン、タブレット端末、ウェアラブル端末などで構成される。また、携帯端末３は、ＧＰＳ衛星の電波を受信する受信部を有する。ＧＰＳの受信部は、米国国防省が管理する複数のＧＰＳ衛星からの電波を受信し、それぞれのＧＰＳ衛星との距離を割り出すことで、携帯端末３の現在位置を割り出す。
【００２５】
ＧＰＳ衛星は、米国国防省が管理する衛星であるものとして説明したが、その他の衛星であってもよく、例えば、宇宙航空研究開発機構（ＪＡＸＡ）が管理する準天頂衛星であってもよい。
【００２６】
なお、ここでは、位置情報の取得方法として、ビーコンやＧＰＳ衛星を用いるものとして説明するが、もちろん、その他の手法を用いてもよく、例えば、ＧＰＳ以外の衛星測位システム、無線ＬＡＮ（Ｗｉ−Ｆｉ等）、キャリア基地局、ＩＭＥＳ（屋内ＧＰＳ）、超音波などを用いてもよい。
【００２７】
入力部１４は、携帯端末３又はパーソナルコンピューターなどを用い、ユーザー２が他人から自分自身を特定できない程度の範囲内で、ユーザー２の消費者属性を予め入力させるための画面を携帯端末３又はパーソナルコンピューターに表示させて記憶部２６に予め記憶させる機能を有している。
【００２８】
ユーザー２の消費者属性として、例えば、国籍、性別、年齢、居住地、職業、年収、勤務地、家族構成、趣味、健康志向などを含めることができるが、もちろん、その他の個人情報を盛り込んでもよい。
【００２９】
クーポン登録部１６は、店舗４で販売される商品を提供するメーカー６が商品に関するクーポン情報を記憶部２６に登録する機能を有している。クーポン登録部１６は、クーポン情報とともに、メーカー６によって入力されたクーポンの配信対象者のターゲット情報を登録する。
【００３０】
図２に示されるように、クーポン情報として、割引対象とする商品（例えば、牛乳）と、割引金額（例えば、２０円）、クーポンが使用可能な店舗名（例えば、スーパー赤坂店）、クーポンの使用可能期間（例えば、１ヶ月）、利用上限数（例えば、５０，０００枚）、シェア可能数（例えば、５人）などの情報が設定される。
【００３１】
上記クーポン情報は、メーカー６自身が設定する。また、メーカー６は、クーポン情報とともに、クーポン情報を配信する対象者であるターゲット情報も登録する。ここでは、ターゲット情報は、図２に示されるように、例えば、「２０代」「女性」「健康志向」といった情報を登録することができる。これにより、図２に示されるように、３０代男性や７０代男性には配信されずに２０代女性だけを配信対象とすることが出来る。
【００３２】
来店判断部１８は、携帯端末３を用いたユーザー２の位置情報に基づき、店舗４に来店したか否かを判断する。来店判断部１８は、位置情報取得処理部１１によって、携帯端末３から送信されるブルートゥース信号を受信するビーコンから情報を受け取った場合に当該携帯端末３を所有するユーザー２が入店したと判断する。
【００３３】
商品選択部２０は、ユーザー２の消費者属性に基づいて、店舗４内で販売される商品のうちユーザー２にとって関心があると推測される商品の中からクーポンの配信候補の商品を複数選択する機能を有する。
【００３４】
例えば、ユーザー２が２０代の女性で健康志向である場合には、この消費者属性が関心を持つと考えられる複数の食品候補（例えば、１０個）を選択する。
【００３５】
商品選択部２０は、上述したターゲット情報に基づいて選択する確率を変更する。店舗４に商品を提供するメーカー６は１社ではなく複数であるため、各メーカー６はクーポンを配信される対象を広げたいところであるが、対象が広いほどユーザー２の関心度が低いものも配信されてしまう可能性があるため、対象者を絞り込んだ状態で配信することが好ましい。
【００３６】
このため、「老若男女を問わない」などのように絞り込みの条件が少ないほど選択される確率を低くし、絞り込みの条件が多いほど（例えば、「２０歳」「大学生」「男性」「東京都渋谷区在住」「一人暮らし」・・・など条件が多いほど）選択される確率を高くする。これにより、２０代の女性向けに作られた商品が６０代の男性の携帯端末３に配信されるなどのミスマッチを抑制することが出来る。
【００３７】
商品選択部２０は、携帯端末３に配信されたクーポンの利用履歴に基づいて、配信が的確であったか否かを学習することで、選択する条件を変更することも出来る。この機能は、人工知能（Ａｒｔｉｆｉｃａｌ  Ｉｎｔｅｌｌｉｇｅｎｃｅ）を用いて学習させることが好ましい。
【００３８】
配信部２２は、ユーザー２が店舗４に来店したタイミングで選択された複数の商品の中からランダムに選んだ商品に関するクーポンを携帯端末３に配信する。具体的には、商品選択部２０により選択された複数の食品候補の中から３つの食品をランダムに選択する。例えば、「乳酸菌ヨーグルト」「牛乳」「低糖質パン」などの３つの食品を選択する。この３つの食品を携帯端末３の画面上での表示順をランダムに決定して配信する。
【００３９】
通知部２４は、配信部２２によって配信されたクーポンを用いて商品を購入する際にクーポンに対応する割引額を店舗側が負担した負担金を記憶部２６に記録し、負担金を補填させるように商品を提供するメーカー６に通知する。
【００４０】
続いて、上記構成の位置連動クーポン配信システム１０の作用について説明する。位置連動クーポン配信システム１０を利用しようとする店舗４、メーカー６及びユーザー２は、予め制御部１２に対して入力部１４などを用いて所定の情報を入力して登録する。
【００４１】
具体的には、メーカー６は、店舗４で販売される商品に関するクーポン情報を登録する。ユーザー２は、携帯端末３又はパーソナルコンピューターなどを用いてユーザー２が他人から自分自身を特定できない程度の範囲内で、ユーザー２の消費者属性を入力するとともにクーポンの配信先である携帯端末３を登録する。店舗４は、当該システムを利用する加盟店契約を行い、クーポンの利用履歴などを伝送できる通信手段を確立する。
【００４２】
ユーザー２が店舗４に来店した際に、携帯端末３から送信されるブルートゥース信号を受信してユーザー２が来店したことを検知する。来店したユーザー２が予め入力した消費者情報に基づいて、ユーザー２が関心を示すと推測される商品を複数選択する。
【００４３】
選択された商品の中から３つの商品（例えば、「牛乳」「乳酸菌ヨーグルト」「低糖質パン」）をランダムに抽出して配信を行う。このとき、ユーザー２は、どの商品に対するクーポンが配信されるかは分からない状態で、携帯端末３を見て初めて商品が分かる。
【００４４】
位置連動クーポン配信システム１０によれば、興味のある商品のクーポンが不確実な確率で配信されるため、ユーザー２は、例えば、カプセルトイ（ガチャガチャ）を作動させて、どのような玩具が出てくるかが分からないようなワクワク感と同様の感動を体験することが出来るという利点がある。
【００４５】
このような体験をすることで、店舗４に入店する際に携帯端末３のクーポンを確認することが習慣づけられる。例えば、店舗４がスーパーマーケット、ドラッグストア、洋服店などで一つの商業施設内に設置されている場合に、ユーザー２は、スーパーマーケットでクーポンを手に入れ、次にドラッグストアに移動してクーポンを手に入れ、次いで洋服店でクーポンを手に入れるという形で店舗４に行くのが楽しみになり、まさに、コト消費を楽しんでいると言える。
【００４６】
一般的には、自分が全く関心のない商品の広告や、関心があるとしても必要としないタイミングで広告が提供されるため、ユーザー２は広告を煩わしいものと考える。携帯端末３などのアプリケーションソフトウェアでダウンロードを行うランキングの市場調査をしたところ、ランキングの上位を占めるものは、広告が表示されないようにするアプリケーションソフトウェアであることが分かった。
【００４７】
この調査結果からすると、商品に興味がない、もしくは、欲しいと感じるタイミングでないときに広告を送ると逆効果であることが分かる。しかしながら、位置連動クーポン配信システム１０によれば、例えば、ユーザー２は、食料を購入するつもりでスーパーマーケット（店舗４）に行くため、食料品を購入する購買意欲が最も高い状態である。
【００４８】
この購買意欲が高い状態でユーザー２が関心を示す商品のクーポンが配信されるため、当該商品の購入を促進し、店舗４の売上増加に寄与するという利点がある。
【００４９】
ここで、ユーザー２が携帯端末３に配信されたクーポンを使用する際には、図３（ａ）に示されるように携帯端末３の画面に表示された「クーポン使用」を操作すると、図３（ｂ）に示されるように、このクーポンに対応する一次元コードが表示される。
【００５０】
携帯端末３に表示された一次元コードを店員が目視で確認し、割引処理（例えば、販売価格から２０円引き）を行う。この際、店舗４が割引金額をメーカー６の代わりに負担する。
【００５１】
その後、ユーザー２が携帯端末３で店舗４の会計レジにおける店員が所有するポイント付与カード５（図３（ｃ）参照）に表示されたＱＲコード（登録商標）を読み取ることで、図３（ｄ）に示されるように、一連の会計処理が終了してユーザー２の所有するポイントが加算される。
【００５２】
上記では、ユーザー２がクーポンを用いて商品を購入した際の割引額に相当する金額は一旦店舗４側が立て替えているが、この負担金額の情報は制御部１２によってメーカー６に通知されて、後日、メーカー６側から店舗４側に支払われることとなる。
【００５３】
このように位置連動クーポン配信システム１０によれば、メーカー６側は商品の販促のために試食販売員などの人員をかけずに、商品をユーザー２にお勧めする機会を持つことが出来るとともに、ユーザー２側も自分が興味のある商品のクーポンが配信されてお得に購入することが出来るため、両者にメリットがある。また、店舗４側も実質的に割引を行うことなく商品を販売することができて売上向上に貢献することができ、三者がＷＩＮ−ＷＩＮ−ＷＩＮの関係を築くことができるという顕著な効果を奏する。
【符号の説明】
【００５４】
２  ユーザー、３  携帯端末、４  店舗、５  ポイント付与カード、６  メーカー、１０  位置連動クーポン配信システム、１１  位置情報取得処理部、１２  制御部、１４  入力部、１６  クーポン登録部、１８  来店判断部、２０  商品選択部、２２  配信部、２４  通知部  ２６  記憶部。
【図１】
2019102053.tif 000003
【図２】
2019102053.tif 000004
【図３】
2019102053.tif 000005
【図４】
2019102053.tif 000006
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ユーザーが該ユーザーの個人を特定できない情報の範囲内で前記ユーザーの消費者属性を入力するための入力部と、
店舗で販売される商品を提供する商品メーカーが前記商品に関するクーポン情報を登録するためのクーポン登録部と、
携帯端末を用いた前記ユーザーの位置情報に基づき、前記店舗に来店したか否かを判断するための来店判断部と、
前記ユーザーの消費者属性に基づいて、前記店舗内で販売される前記商品のうち前記ユーザーにとって関心があると推測される前記商品の中からクーポンの配信候補の前記商品を複数選択する商品選択部と、
前記ユーザーが前記店舗に来店したタイミングで前記選択された複数の前記商品の中からランダムに選んだ前記商品に関する前記クーポンを前記携帯端末に配信する配信部と、
を備え、
前記クーポン登録部は、前記クーポン情報とともに前記商品メーカーにより入力された前記クーポンの配信対象者のターゲット情報を登録し、
前記商品選択部は、前記ターゲット情報の絞り込みの条件が少なく前記配信対象者が絞り込まれていないほど前記クーポンの配信候補として選択される確率を低くし、前記絞り込みの条件が多く前記配信対象者が絞り込まれているほど前記クーポンの配信候補として選択される確率を高くすることを特徴とする位置連動クーポン配信システム。
【請求項２】
請求項１に記載の位置連動クーポン配信システムにおいて、
前記商品選択部は、前記配信部によって配信された前記クーポンの利用履歴に基づいて、前記選択する条件を変更することを特徴とする位置連動クーポン配信システム。
【請求項３】
請求項１または請求項２に記載の位置連動クーポン配信システムにおいて、
前記配信部によって配信された前記クーポンを用いて前記商品を購入する際に前記クーポンに対応する割引額を前記店舗側が負担した負担金を記録し、前記負担金を補填させるように前記商品を提供する前記商品メーカーに通知するための通知部を備えることを特徴とする位置連動クーポン配信システム。
【手続補正２】
【補正対象書類名】明細書
【補正対象項目名】０００８
【補正方法】変更
【補正の内容】
【０００８】
本発明に係る位置連動クーポン配信システムは、ユーザーが該ユーザーの個人を特定できない情報の範囲内で前記ユーザーの消費者属性を入力するための入力部と、店舗で販売される商品を提供する商品メーカーが前記商品に関するクーポン情報を登録するためのクーポン登録部と、携帯端末を用いた前記ユーザーの位置情報に基づき、前記店舗に来店したか否かを判断するための来店判断部と、前記ユーザーの消費者属性に基づいて、前記店舗内で販売される前記商品のうち前記ユーザーにとって関心があると推測される前記商品の中からクーポンの配信候補の前記商品を複数選択する商品選択部と、前記ユーザーが前記店舗に来店したタイミングで前記選択された複数の前記商品の中からランダムに選んだ前記商品に関する前記クーポンを前記携帯端末に配信する配信部と、を備え、前記クーポン登録部は、前記クーポン情報とともに前記商品メーカーにより入力された前記クーポンの配信対象者のターゲット情報を登録し、前記商品選択部は、前記ターゲット情報の絞り込みの条件が少なく前記配信対象者が絞り込まれていないほど前記クーポンの配信候補として選択される確率を低くし、前記絞り込みの条件が多く前記配信対象者が絞り込まれているほど前記クーポンの配信候補として選択される確率を高くすることを特徴とする。